(57)【要約】【課題】諸表示部に挿入する表示シートをスムーズに入れることのできる防災機器の表示パネルユニットを提供する。【解決手段】本発明に係る防災機器の表示パネルユニット７は、化粧パネル１９に記載された表示灯名文字列の近傍を背面側から点灯させる表示部２１を有する防災機器の表示パネルユニット７であって、表示部２１は、前記表示灯名文字列が空欄の表示部２１ａを有し、該空欄の表示部２１ａの背面側には、表示灯名文字列が記載された表示シート４１を化粧パネル１９と背面パネル２５との間に挿入する挿入部２９が設けられ、挿入部２９に表示シート４１を挿入するための挿入ガイド３１を有し、挿入ガイド３１は、背面側から挿入口２８に向けて傾斜する傾斜面部３３と、表示シート４１の上下をガイドする上ガイド部３５及び下ガイド部３７とを備えてなることを特徴とするものである。【選択図】  図１
2019079218.tif 000002
【特許請求の範囲】
【請求項１】
化粧パネルに記載された表示灯名文字列の近傍を背面側から点灯させる表示部を有する防災機器の表示パネルユニットであって、
前記表示部は、前記表示灯名文字列の文字が空欄の表示部を有し、
該空欄の表示部の背面側には、表示灯名文字列が記載された表示シートを前記化粧パネルと背面パネルとの間に挿入する挿入部が設けられ、
該挿入部に前記表示シートを挿入するための挿入ガイドを有し、
該挿入ガイドは、背面側から挿入口に向けて傾斜する傾斜面部と、前記表示シートの上下をガイドする上ガイド部及び下ガイド部とを備えてなることを特徴とする防災機器の表示パネルユニット。
【請求項２】
前記傾斜面部の下端に前面側に向けて垂直に設けられた垂直壁部を設けたことを特徴とする請求項１記載の防災機器の表示パネルユニット。
【発明の詳細な説明】
【技術分野】
【０００１】
本発明は、火災受信機等の防災機器の正面扉に取り付けられる表示パネルユニットに関する。
【背景技術】
【０００２】
火災受信機等の防災機器には、機器類を収容した本体と、該本体に開閉可能に取付られた扉とを有し、扉には液晶ディスプレイ等が搭載された表示パネルユニットが取り付けられたものがある。
このような、表示パネルユニットの例として、例えば特許文献１に開示された扉パネルがあり、この扉パネルには、「交流電源」、「スイッチ注意」等というような注意喚起文字列に隣接して点灯部が設けられており、必要に応じて点灯部を点灯させるようにした表示部が設けられている（特許文献１の［００２１］、［００２２］参照）。
【０００３】
そして、表示部には、機器の設置現場に合わせて注意喚起文字列を後から設定できる諸表示部が設けられている。諸表示部は、点灯部はあるが注意喚起文字列が空欄になっている。同様に火災感知器や防排煙機器等の端末機器の動作を示す地区表示部も地区名称を端末機器の設置場所に合わせて後から設定できるように地区名称文字列が空欄になっている。
【先行技術文献】
【特許文献】
【０００４】
【特許文献１】特開２０１７−４４５０号公報
【発明の概要】
【発明が解決しようとする課題】
【０００５】
特許文献１には、諸表示部への注意喚起文字列を後から表示する方法についての詳細な記載はないが、一般的には、正面側に設けられた透明の化粧パネルの背面側から注意喚起文字列を記載した表示シートを現場で挿入するようになっている。
しかしながら、化粧パネルと背面パネルとにより形成する狭い隙間に表示シートを挿入しなければならないため非常に入れ難く、例えば表示シートが斜めに挿入されると、化粧パネルと背面パネルがフック等により嵌合され組み付けられている場合には、化粧パネルと背面パネルに生じる隙間に入り込んだり、化粧パネルと背面パネルが両面テープ等により貼着されている場合には、貼付部についてしまうという問題がある。
【０００６】
本発明はかかる課題を解決するためになされたものであり、空欄の表示部に挿入する表示シートをスムーズに入れることのできる防災機器の表示パネルユニットを提供することを目的としている。
【課題を解決するための手段】
【０００７】
（１）本発明に係る防災機器の表示パネルユニットは、化粧パネルに記載された表示灯名文字列の近傍を背面側から点灯させる表示部を有する防災機器の表示パネルユニットであって、
前記表示部は、前記表示灯名文字列が空欄の表示部を有し、
該空欄の表示部の背面側には、表示灯名文字列が記載された表示シートを前記化粧パネルと背面パネルとの間に挿入する挿入部が設けられ、
該挿入部に前記表示シートを挿入するための挿入ガイドを有し、
該挿入ガイドは、背面側から挿入口に向けて傾斜する傾斜面部と、前記表示シートの上下をガイドする上ガイド部及び下ガイド部とを備えてなることを特徴とするものである。
【０００８】
（２）また、上記（１）に記載のものにおいて、前記傾斜面部の下端に前面側に向けて垂直に設けられた垂直壁部を設けたことを特徴とするものである。
【発明の効果】
【０００９】
本発明においては、化粧パネルと背面パネルとの間に表示シートを挿入するための挿入部が設けられ、該挿入部に挿入ガイドとして、上ガイド部と下ガイド部及び傾斜面部を設けたことにより、化粧パネルと背面パネルの狭い隙間に対して、表示シートを正しい姿勢で簡単にスムーズに挿入することができる。
【図面の簡単な説明】
【００１０】
【図１】本実施の形態に係る火災受信機の斜視図である。
【図２】図１に示した扉から表示パネルユニットを外した状態の内側から見た斜視図である。
【図３】図１に示した火災受信機の扉の内部側から見た斜視図である。
【図４】図３に示した拡大図の正面図、及びその矢視Ａ−Ａ断面図である。
【図５】表示シートの挿入方法の説明図である。
【図６】上下ガイド部３５、３７の他の態様の説明図である。
【図７】挿入部２９の他の態様の説明図である。
【図８】上下ガイド部３５、３７の他の態様の説明図であって、（ａ）は平面図、（ｂ）は（ａ）の矢視Ｂ−Ｂ断面図である。
【発明を実施するための形態】
【００１１】
本実施の形態を、防災機器の一例として、図１に示すように、本体１と本体１に開閉可能に取り付けられた扉３を有する火災受信機５を例に挙げ、このような火災受信機５の扉３に取り付けられる表示パネルユニット７について説明する。
扉３は本体１に開閉可能に取り付けられており、図２に示すように、矩形の開口部９を有している。扉３の内面側には、図２に示すように、開口部９の左右縁と下縁に表示パネルユニット７に設けられた係止片１１が係止可能な係止孔１３を有する係止部材１５が設けられている。
そして、表示パネルユニット７は、例えば液晶ディスプレイが設置される窓部を有する矩形の枠部１７を有し、枠部１７を扉３の開口部９に内面側から挿入することで装着可能になっている。
【００１２】
表示パネルユニット７には、液晶ディスプレイが搭載されると共に化粧パネル１９の背面側から点灯させる表示部２１を有し、表示部２１の近傍に表示部２１の表示内容を示す表示灯名文字列が記載されている。
表示部２１は、表面が化粧パネル１９からなり、この化粧パネル１９には、図１の一部拡大図に示すように、表示灯名文字列として、例えば「交流電源」、「異常」、「ガスもれ遅延中」、「スイッチ注意」等の文字列が記載され、各文字列の頭部に必要に応じて点灯する点灯部２３が設けられている。なお、点灯部２３は、ＬＥＤ等の発光素子を表示パネルユニット７に埋め込まれるようにして点灯するようにしてもよく、ライトガイドまたは孔を形成し後述の背面パネル２５の背面側に搭載された回路基板上に設けた発光素子の光を導光して点灯するようにしてもよい。
また、表示部２１には、文字列の記載されていない諸表示部２１ａ（図１の一部拡大図における破線で囲んだ部位）を有し、諸表示部２１ａには点灯部２３のみが設けられている。なお、本実施の形態においては、諸表示部２１ａを例に空欄の表示部を説明するが、それに限定されず、地区表示部のように端末機器の設置場所に合わせて後から表示灯名文字列として地区名称を入れる表示部のように後から表示灯名文字列を入れる表示部すべてに適応できる。
なお、化粧パネル１９は、少なくとも点灯部２３に対向する部分及び諸表示部２１ａ部分のそれぞれが透明または透過度が化粧パネル１９を通して点灯部２３の点灯または後述の表示シート４１に記載された表示灯名文字列が見える程度になっていればよく、全体が透明または前述の透過度となっていてもよい。
【００１３】
諸表示部２１ａの背面側には、背面パネル２５があり、この背面パネル２５と化粧パネル１９との間には隙間２７（図４（ｂ）、図５参照）を有する挿入部２９が設けられており、薄いシート状の表示シート４１（図５参照）を挿入できるようになっている。なお、背面パネル２５と化粧パネル１９は、不図示のフック等の係止部により嵌合され組み付けられてもよく、両面テープ等により貼着されるようにしてもよい。
隙間２７の入り口にあたる挿入口２８には表示シート４１を挿入するための挿入ガイド３１が設けられており、挿入ガイド３１は、背面側から挿入口２８に向けて傾斜する傾斜面部３３と、表示シート４１の上辺をガイドする上ガイド部３５と表示シート４１の下辺をガイドする下ガイド部３７とを備えている。
【００１４】
上ガイド部３５と下ガイド部３７の上下の間隔は表示シート４１の幅とほぼ同じになるように設定されており、上ガイド部３５及び下ガイド部３７に表示シート４１の上下辺を沿わせることで、表示シート４１を挿入口２８の真横に配置することができ、挿入時において表示シート４１が挿入口２８に対して斜めになるのを防止することができる。
また、傾斜面部３３を有することで、表示シート４１の先端を傾斜面部３３に添わせることができ、狭い隙間２７にスムーズに挿入することができる。
【００１５】
さらに、本実施の形態では、傾斜面部３３の下端に前面側に向けて垂直に設けられた垂直壁部３９が設けられている。この垂直壁部３９の作用について、図５に基づいて詳細に説明する。
表示シート４１は薄い樹脂製の板材であり、図５に示すように、基端側に屈曲部４３を有し、屈曲部４３より基端側は斜めになった把持部４５になっている。表示シート４１の挿入に際しては、把持部４５を把持して上下ガイド部３５、３７に沿って、かつ傾斜面部３３に沿わせて先端を隙間２７に挿入する（図５（ａ）参照）。先端が隙間２７に挿入されると、そのまま押込むことで、表示シート４１が入口から隙間２７の形状に沿うように変形して挿入される。挿入完了直前の状態が図５（ｂ）の状態であり、この状態からさらに表示シート４１が押込まれると、傾斜面部３３が垂直壁部３９によって途切れるため、屈曲部４３が傾斜面部３３から外れて化粧パネル１９の背面側に一気に入り込み、表示シート４１全体が所定位置に固定される。
【００１６】
以上のように、本実施の形態においては、表示シート４１を挿入するための挿入ガイド３１として、上ガイド部３５と下ガイド部３７及び傾斜面部３３を設けたことにより、化粧パネル１９と背面パネル２５の狭い隙間２７に対して、表示シート４１を正しい姿勢で簡単にスムーズに挿入することができる。
また、傾斜面部３３の下端に前面側に向けて垂直に切り立つ垂直壁部３９を設けたことにより、基端側が屈曲する表示シート４１を挿入する際には、所定位置に簡単に挿入することができる。また、挿入後に表示シート４１が外れにくくなり、挿入した隙間から抜けてしまうことがない。
なお、変形例１として、図６のように、上下ガイド部３５、３７を挿入口２８から離れるほど高くなるようにすれば、表示シート４１を挿入口２８に向けて挿入するため斜めにした場合であっても、隙間２７に対して、表示シート４１を正しい姿勢で挿入することができる。
また、変形例２として、図７のように、表示シート４１の挿入方向に対して最遠の挿入口２８の縁部に誘導壁４７を設ければ、表示シート４１を上下ガイド部３５、３７に沿って挿入口２８へ向けてスライドさせることで、誘導壁４７によって表示シート４１が挿入口２８へ導かれて挿入しやすくなる。ここで、図７では誘導壁４７を斜めに設けているが、背面に向かって垂直であっても、表示シート４１を上下ガイド部３５、３７に沿って挿入口２８へ向けてスライドさせたときに、挿入口２８を越えていくことがなく、挿入しやすくなる。
また、変形例３として、図８のように、上下ガイド部３５、３７の先端の互いが向き合う側に傾斜部４９を設け、先端側で上下ガイド部３５、３７間の幅が広くなるようにすることで、表示シート４１を上下ガイド部３５，３７の間に入れやすくなる。
【符号の説明】
【００１７】
１  本体
３  扉
５  火災受信機
７  表示パネルユニット
９  開口部
１１  係止片
１３  係止孔
１５  係止部材
１７  枠部
１９  化粧パネル
２１  表示部
２１ａ  諸表示部
２３  点灯部
２５  背面パネル
２７  隙間
２８  挿入口
２９  挿入部
３１  挿入ガイド
３３  傾斜面部
３５  上ガイド部
３７  下ガイド部
３９  垂直壁部
４１  表示シート
４３  屈曲部
４５  把持部
４７  誘導壁
４９  傾斜部
【図１】
2019079218.tif 000003
【図２】
2019079218.tif 000004
【図３】
2019079218.tif 000005
【図４】
2019079218.tif 000006
【図５】
2019079218.tif 000007
【図６】
2019079218.tif 000008
【図７】
2019079218.tif 000009
【図８】
2019079218.tif 000010